(57)【要約】      （修正有）【課題】射出方式で本体ユニットを被覆することがないので、不良品の形成を回避することができるキット式コネクタ外部絶縁体を提供する。【解決手段】キット式コネクタ外部絶縁体は、第一絶縁本体１１と第二絶縁本体１２とを備える。第一絶縁本体１１は、導線Ｌが貫通する孔部１１１を有し、外壁に第一位置決め部１１２が形成される。第二絶縁本体１２は、第二位置決め部１２２が内壁に形成される嵌挿部１２１を有する。嵌挿部１２１は、内部に第一絶縁本体１１が嵌挿される。第一位置決め部１１２と第二位置決め部１２２とは相互に嵌合する。第一絶縁本体１１と第二絶縁本体１２とで形成される穴に、コネクタの本体ユニット２０を嵌合する。【選択図】図３
0003169847.tif 000002
【実用新案登録請求の範囲】
【請求項１】
コネクタの本体ユニットの外側に設けられるキット式コネクタ外部絶縁体であって、
導線が貫通する孔部を有し、外壁に第一位置決め部が形成される第一絶縁本体と、
前記第一位置決め部と嵌合する第二位置決め部が内壁に形成される嵌挿穴部を有する第二絶縁本体と、
を備え、
前記第二絶縁本体の前記嵌挿穴部は、内部に前記第一絶縁本体が嵌挿され、
前記第一絶縁本体と前記第二絶縁本体とで形成される穴に、前記コネクタの本体ユニットを嵌合することを特徴とするキット式コネクタ外部絶縁体。
【請求項２】
前記第一絶縁本体は、前記第二絶縁本体と反対側に複数の凹部を有する撓曲段部が形成されることを特徴とする請求項１に記載のキット式コネクタ外部絶縁体。
【請求項３】
前記第一絶縁本体と前記第二絶縁本体とが相互に嵌合するとき、前記第一絶縁本体は、前記本体ユニットの一方の端部に当接し、
前記第二絶縁本体の前記嵌挿穴部の前記第一絶縁本体と反対側の底部は、前記本体ユニットの中部外縁に形成されるショルダー部に当接し、
前記本体ユニットは、前記嵌挿穴部を貫通し、他方の端部が前記嵌挿穴部から外部に露出することを特徴とする請求項１に記載のキット式コネクタ外部絶縁体。
【請求項４】
前記第一絶縁本体の前記第一位置決め部は凹型溝であり、前記第二絶縁本体の前記第二位置決め部は前記第一位置決め部に対応する凸縁であることを特徴とする請求項１に記載のキット式コネクタ外部絶縁体。
【請求項５】
前記第一絶縁本体の前記第一位置決め部は凸縁であり、前記第二絶縁本体の前記第二位置決め部は前記第一位置決め部に対応する凹型溝であることを特徴とする請求項１に記載のキット式コネクタ外部絶縁体。
【考案の詳細な説明】
【技術分野】
【０００１】
本考案は、キット式コネクタ外部絶縁体に関する。
【背景技術】
【０００２】
従来、信号伝送に応用されるコネクタは、射出方式でコネクタの本体ユニットを被覆する一層の絶縁層を形成する方法を採用することが周知されている。これにより、絶縁効果を有するほか、ユーザーが使用するのにも便利である。
【考案の概要】
【考案が解決しようとする課題】
【０００３】
しかしながら、日に日に進む電子製品設計の小型化に合わせ、コネクタの体積がより小さくなる。そのため、従来の射出方式でコネクタを被覆する一層の絶縁層を形成するコネクタは、製造上精密な鋳型を使用する必要がある。その他、製造コストの増加や、射出の際に、高温高圧の液体状の溶融プラスチック材料がコネクタの本体ユニットへ衝突してしまい、容易に本体ユニットを損害させ、或いは本体ユニット中に設置される端子を変形させてしまい、製品の不良率が高まり、改善が求められるといった問題があった。
【０００４】
本考案は、このような従来の問題に鑑みてなされたものである。上記課題解決のため、本考案は、第一絶縁本体と第二絶縁本体とを備えるキット式コネクタ外部絶縁体を提供することを目的とする。
【課題を解決するための手段】
【０００５】
上述した課題を解決し、目的を達成するために、本考案に係るキット式コネクタ外部絶縁体は、第一絶縁本体と第二絶縁本体とを備える。
第一絶縁本体は、導線が貫通する孔部を有し、外壁に第一位置決め部が形成される。
第二絶縁本体は、第二位置決め部が内壁に形成される嵌挿穴部を有する。嵌挿穴部は、内部に第一絶縁本体が嵌挿される。第一位置決め部と第二位置決め部とは相互に嵌合する。第一絶縁本体と第二絶縁本体とで形成される穴に、コネクタの本体ユニットを嵌合する。
【０００６】
コネクタの本体ユニットは、通常プラスチック本体を含む。プラスチック本体は、中には複数の端子が嵌入されて設置され、外部は金属ケースに被覆される。しかし本考案において、本体ユニットの型式と構成とは制限されない。
【０００７】
本考案によるキット式コネクタ外部絶縁体は、第一絶縁本体と第二絶縁本体とが相互に嵌合するとき、第一絶縁本体は本体ユニットの一方の端部に当接し、第二絶縁本体の嵌挿穴部の第一絶縁本体と反対側の底部は、本体ユニットの中部外縁に形成されるショルダー部に当接する。これにより、本体ユニットを第一絶縁本体と第二絶縁本体とで形成される穴に安定的に嵌合し、前後に滑動させないようにすることができる。
【０００８】
第一絶縁本体の第一位置決め部は凹型溝であり、第二絶縁本体の第二位置決め部は第一位置決め部に対応する凸縁である。これにより、第一位置決め部と第二位置決め部とは相互に嵌合する。これに限らず、当然ながら第一絶縁本体の第一位置決め部は凸縁として形成され、第二絶縁本体の第二位置決め部は第一位置決め部に対応する凹型溝として形成されることができる。本考案ではこれに制限されない。
【考案の効果】
【０００９】
本考案に係るキット式コネクタ外部絶縁体は、射出方式で本体ユニットを被覆することではない為、射出成形の際に、高温高圧の液体状の溶融プラスチック材料が本体ユニットに衝突し、本体ユニットを分解して損壊させ、不良品を形成させることを回避することができる。また、高周波減衰及びインピーダンス変化によるコネクタの品質への影響を回避することができる。よって、本考案は独創的で産業上の利用性が得られる。
【図面の簡単な説明】
【００１０】
【図１】本考案の一実施形態によるキット式コネクタ外部絶縁体の分解斜視図である。
【図２】本考案の一実施形態によるキット式コネクタ外部絶縁体の組み立て完成後の斜視図である。
【図３】図２の３−３方向の断面図である。
【考案を実施するための形態】
【００１１】
以下、本考案によるキット式コネクタ外部絶縁体を図面に基づいて、詳細に説明する。なお、本考案は、以下に説明する実施形態に限定されるものではない。
【００１２】
（一実施形態）
本考案の一実施形態に係るキット式コネクタ外部絶縁体は、図１、図２、図３のように、第一絶縁本体１１と第二絶縁本体１２とを備える。第一絶縁本体１１は、導線Ｌが貫通する孔部１１１を有し、外壁には第一位置決め部１１２が形成される。第二絶縁本体１２は、第二位置決め部１２２が内壁に形成される嵌挿穴部１２１を有する。嵌挿穴部１２１は、内部に第一絶縁本体１１が嵌挿される。第一位置決め部１１２と第二位置決め部１２２とは相互に嵌合する。第一絶縁本体１１と第二絶縁本体１２とで形成される穴に、コネクタの本体ユニット２０を嵌合する。
【００１３】
コネクタの本体ユニット２０は、通常プラスチック本体２０ａを含む。プラスチック本体２０ａは、中には複数の端子２０ｂが嵌入されて設置され、外部は金属ケース２０ｃに被覆される。本考案においては、本体ユニット２０の型式及び構成が制限されず、本考案は本体ユニット２０以外の従来のコネクタの本体ユニットにも応用される。
【００１４】
第一絶縁本体１１は、第二絶縁本体１２と反対側に撓曲段部１１３が形成される。撓曲段部１１３は、複数の凹部１１３ａを有し、多方向に湾曲されることができ、導線Ｌが頻繁に湾曲されることで起こる断裂を防止することができる。
【００１５】
第一絶縁本体１１と第二絶縁本体１２とが相互に嵌合するとき、第一絶縁本体１１は本体ユニット２０の一方の端部２１に当接し、第二絶縁本体１２の嵌挿穴部１２１の嵌挿穴部の底部１２１ａは、本体ユニット２０の中部外縁に形成されるショルダー部２２に当接し、本体ユニット２０は、嵌挿穴部１２１を貫通し、他方の端部２３が嵌挿穴部１２１から外部に露出する。これにより、本体ユニット２０を第一絶縁本体１１と第二絶縁本体１２とで形成される穴に安定的に嵌合し、前後に滑動させないようにすることができる。
【００１６】
第一絶縁本体１１の第一位置決め部１１２は凹型溝であり、第二絶縁本体１２の第二位置決め部１２２は第一位置決め部１１２に対応する凸縁であり、第一位置決め部１１２と第二位置決め部１２２とは相互に嵌合する。これに限らず、当然ながら、第一絶縁本体１１の第一位置決め部１１２は凸縁として形成され、第二絶縁本体１２の第二位置決め部１２２は第一位置決め部１１２に対応する凹型溝として形成されることができる。本考案ではこれに制限されない。
【００１７】
本考案の一実施形態に係るキット式コネクタ外部絶縁体は、組み立てに於いては、第一絶縁本体１１と第二絶縁本体１２とを相互に嵌挿させると、本体ユニット２０をその中にきつく嵌合することができる。射出方式で本体ユニット２０を被覆しない為、組み立てと製造とが容易になるほかに、射出形成においての高温高圧の液体状の溶融プラスチック材料による不良品を形成してしまうことを回避することができ、高温により本体ユニット２０内の端子の材料が物理変化を起こし、高周波減衰及びインピーダンス増加を招き、コネクタの品質に影響を及ぼすことも回避することができる。よって、本考案は独創的で産業上の利用性がある。
【００１８】
以上、本考案はこのような実施形態に限定されるものではなく、考案の趣旨を逸脱しない範囲において、種々の形態で実施することができる。
【符号の説明】
【００１９】
１１    ・・・第一絶縁本体
１１１  ・・・孔部
１１２  ・・・第一位置決め部
１１３  ・・・撓曲段部
１１３ａ・・・凹部
１２    ・・・第二絶縁本体
１２１  ・・・嵌挿穴部
１２１ａ・・・嵌挿穴部の底部
１２２  ・・・第二位置決め部
２０    ・・・本体ユニット
２０ａ  ・・・プラスチック本体
２０ｂ  ・・・端子
２０ｃ  ・・・金属ケース
２１    ・・・一方の端部
２２    ・・・ショルダー部
２３    ・・・他方の端部
Ｌ      ・・・導線
【図１】
0003169847.tif 000003
【図２】
0003169847.tif 000004
【図３】
0003169847.tif 000005